(57)【要約】  本発明は、バッグ本体(10)の一つの面に向かって折り返され、引き離し可能な連結要素（30,32）によってその状態に保持されている少なくとも一つのまち(24,28)を有する、包装用バッグに関する。本発明は、バッグの確実な開閉用に設計された要素(50)をさらに備え、この要素が、まちの折り線(22)を横切り、まち（24、28）の全幅およびバッグ本体の少なくとも実質部分に達する長さを持つことを特徴とする。
2007513022.tif 000002
【特許請求の範囲】
【請求項１】
バッグ本体(10)の面に向かって折り返され、引き離し可能な連結要素（30,32）によってこの状態に保持されている少なくとも一つのまち（24,28）を備える包装用バッグであって、再閉鎖可能な開口を生ずるように設計された要素(50)をさらに備え、この要素が、まちの折り線(22)を横切って延在し、前記まち（24,28）の全幅およびバッグ本体の少なくとも実質部分に達している持つことを特徴とする包装用バッグ。
【請求項２】
再閉鎖可能な開口を生ずるように設計された要素（50）が、バッグの本体(10)全体に達していることを特徴とする請求項１に記載のバッグ。
【請求項３】
二つのまち（24,28）を備え、それらがバッグ本体の互いに真向かいの面に向かって折り返されていて、その状態に各まち用の引き離し可能な連結要素によって保持されていることを特徴とする請求項１または２のいずれかに記載のバッグ。
【請求項４】
前記少なくとも一つのまち（24,28）が引き離し可能な連結要素によって折り返された状態に保持されているときに、複数回の開閉動作に適した閉鎖要素(50)がバッグの内容物による力を受けることを防ぐ手段を備えることを特徴とする請求項１〜３のいずれかに記載のバッグ。
【請求項５】
再閉鎖可能な開口を可能にするように設計された要素(50)が、複数回の開閉動作に適した閉鎖要素を含むことを特徴とする請求項１〜４のいずれかに記載のバッグ。
【請求項６】
引き離し可能な連結要素（30,32）が少なくとも一つの粘着性ストリップを含むことを特徴とする請求項１〜５のいずれかに記載のバッグ。
【請求項７】
引き離し可能な連結要素（30,32）が「ベルクロ(R)」タイプの相補型要素を含むことを特徴とする請求項１〜５のいずれかに記載のバッグ。
【請求項８】
引き離し可能な連結要素（30,32）が雄型／雌型の鉤状タイプの相補型要素を有する二つの押出成形品を含むことを特徴とする請求項１〜５のいずれかに記載のバッグ。
【請求項９】
引き離し可能な連結要素（30,32）がスライド部材によって動作されることを特徴とする請求項８に記載のバッグ。
【請求項１０】
閉鎖要素(50)が圧着式要素を含むことを特徴とする請求項１〜９のいずれかに記載のバッグ。
【請求項１１】
閉鎖要素(50)が「ベルクロ」タイプの要素を含むことを特徴とする請求項１〜９のいずれかに記載のバッグ。
【請求項１２】
閉鎖要素(50)が雄型、雌型または鉤状タイプの相補型の二つの押出成形品を含むことを特徴とする請求項１〜９のいずれかに記載のバッグ。
【請求項１３】
閉鎖要素(50)がスライド部材（60）によって動作されることを特徴とする請求項１２記載のバッグ。
【請求項１４】
引き離し可能な連結要素（30）が、前記まちの端部に配置されたストリップを有し、該ストリップは、まちの折り線(22)に平行に、バッグの全高(▲L▼3)とほぼ同じ長さに設けられていることを特徴とする請求項１〜１３のいずれかに記載のバッグ。
【請求項１５】
引き離し可能な連結要素が、まち(24,26)の端部を受ける側のバッグ本体の部分(16)において、まち(24,28)の折り線(22)に平行なストリップ（32）を含むことを特徴とする請求項１〜１４のいずれかに記載のバッグ。
【請求項１６】
引き離し可能な連結要素がまちの折り線(22)に平行な二つのストリップ(30,32)を含み、これら二つのストリップは、一方がまち(24,28)の端部に、他方がこのまちの端部を受けることになるバッグ本体の壁面(16)に配置されることを特徴とする請求項１〜１５のいずれかに記載のバッグ。
【請求項１７】
まち(24,28)のそれぞれが、バッグに内容物を入れる方向に対してほぼ垂直な平面上に位置することを特徴とする請求項１〜１６のいずれかに記載のバッグ。
【請求項１８】
まち(24,28)のそれぞれが、当初の開孔部(12)を包囲するバッグ壁面に向かって、バッグに内容物を入れる方向に対してほぼ平行な平面上に位置することを特徴とする請求項１〜１６のいずれかに記載のバッグ。
【請求項１９】
当初の開孔部の周辺に位置する、バッグ本体の互いに真向かいの二面に向かって折り返された二つのまち(24,28)を含むことを特徴とする請求項１〜１８のいずれかに記載のバッグ。
【請求項２０】
まち(24,28)の各々が、まちが折り返されているバッグ本体の面の一部に重なっていることを特徴とする請求項１〜１９のいずれかに記載のバッグ。
【請求項２１】
まちの折り線(22)を横切って、まちの全幅およびバッグ本体の少なくとも実質部分に達する長さを持つ、再閉鎖可能な開口を可能にするよう設計された要素(50)を、バッグのまち(24,28)に取り付ける工程と、バッグの本体に形成されたまち(24,28)を折り返す工程と、引き離し可能な連結要素(30,32)によってまち(24,28)を折り返された状態に保持する工程、とを含むことを特徴とする包装材の製造方法。
【請求項２２】
まちの折り線(22)を横切って、まちの全幅およびバッグ本体の少なくとも実質部分に達する長さを持つ、再閉鎖可能な開口を可能にするよう設計された要素(50)をバッグのまち(24,28)に取り付けることができる手段を、バッグ本体に形成されたまち(24,28)を折り返すことができる手段、および、まち(24,28)をこの折り返された状態に保持するために使用できる引き離し可能な連結要素(30,32)を形成することができる手段と共に備えることを特徴とする包装材の製造装置。
【発明の詳細な説明】
【技術分野】
【０００１】
本発明は、包装用バッグ（包装袋）の分野に関する。より正確には、本発明は、例えば複数回の連続した開閉動作が可能で、それらに制限されないが、相補型の押出成形品の形態をとる開閉手段を備えている包装用バッグの分野に関する。
【背景技術】
【０００２】
下記特許文献１は、開閉を複数回連続して行うのに適した公知の包装用バッグの１例を例示している。このバッグは、折り返されているまち(gusset)を備え、まちはこの（折り返された）状態に、必要に応じて一回または複数回の使用が可能な、引き離し(連結解除)が可能な要素により保持されている。この包装用バッグは、まちの端部に配置された、再閉鎖可能な開口を生ずる第２の要素をさらに含む。
【０００３】
特許文献１に記載された包装用バッグは、有望であるにもかかわらず、期待された商業的成功を得ることはなかった。
【特許文献１】EP-A (欧州特許公開) 1 321 381号公報
【発明の開示】
【０００４】
本発明の目的は、上記の公知バッグを改善することである。本発明の具体的な目的は、例えば乳幼児用おしめ等の、高い圧力下で封入される内容物を収容するように考えられた袋でありながら、最初の一つを取り出した後も内容物を容易に取り出すことが可能なバッグを提案することである。
【０００５】
この目的は、本発明により、下記の包装用バッグによって達成される。本発明の包装用バッグは、バッグ本体の一つの面に向けて折り返され、（連結の）引き離しが可能な連結要素によってその状態に保持されている少なくとも一つのまちを備えている。本発明のバッグは、再閉鎖可能な開口を可能にするように設計された要素をさらに備え、この要素がまちの折り線を横切って位置し、まちの全幅およびバッグ本体の少なくとも実質部分に達する長さをもつことを特徴とする。
【０００６】
以下の詳細な説明を読み込むことで、専門的な技術者は、本発明に係るバッグが、特に、再閉鎖可能な開口動作を行うのに使用される要素の特定の配置によって、バッグの全ての内容物への容易な接近を可能にするものであることを理解しよう。一方、特許文献EP-A-1 321 381に説明されているような従前の設計のバッグは、まっすぐなまちの部分を経て限られた接近しかできない。
【０００７】
本発明の他の有利な特徴によれば、再閉鎖可能な開口を生ずるように設計された要素は、バッグ本体の全体に達する。
本発明の他の有利な特徴によれば、バッグは二つのまちを有し、これらのまちはバッグの真向かいの二面に向けて折り返され、それぞれに設けた引き離し可能な連結要素によってその状態に保持される。
【０００８】
他の有利な本発明の特徴によれば、再閉鎖可能な開口を生ずるように設計された要素は、多数回の開閉動作に適した閉鎖要素を含む。
本発明の他の有利な特徴によれば、バッグは、上記少なくとも一つのまちが引き離し可能な連結要素によって折り返された状態に保持されているときに、複数回の開閉動作に適した閉鎖要素がバッグの内容物による応力を受けるのを防止する手段を含む。
【０００９】
本発明はバッグの製造方法にも関する。その製造方法は、まちの折り線を横切り、まちの全幅およびバッグ本体の少なくとも実質部分に達する長さをもつ、再閉鎖可能な開口を生ずるよう設計された要素をバッグのまちに取り付ける工程と、バッグ本体に形成されたまちを折り返す工程と、まちをその折り返された状態に引き離し可能な連結要素によって保持する工程とを含む。
【００１０】
本発明はまたバッグの製造装置にも関する。その製造装置は、まちの折り線を横切って位置し、まちの全幅およびバッグ本体の少なくとも実質部分に達する、再閉鎖可能な開口を生ずるよう設計された要素をバッグのまちに取り付けるのに適した手段と、バッグ本体に形成されたまちを折り返すことができる手段と、まちをその折り返された状態に保持することができる引き離し可能な連結要素を形成することができる手段とを有する。
【発明を実施するための最良の形態】
【００１１】
本発明の他の特徴、目的および利点は添付図面を参照した以下の詳細な説明を読むことによって明らかになろう。なお、添付図面は限定されない例として提示したものである。
添付の図１および２は、本発明に係るバッグをその製造の二つの引き続く過程で示す。
【００１２】
図１に示すように、最初の段階では、本発明のバッグは、開口部のための開孔（aperture）12と他端側の底部14とを有する概ね筒形状のバッグ本体10を備える。好ましくは、バッグ本体10は、互いに直角をなす４枚の主壁面により輪郭が形作られる。したがって、その断面は略正方形または略長方形である。これらの壁面のうちの２枚は、図１に参照番号15および16で示されている。残る別の２枚の壁面は、それぞれ、これら２枚の壁面15および16のそれぞれと平行および垂直である。
【００１３】
バッグの壁面には多くの具体化法が考えられる。
これらの壁面は熱可塑性材料から作られることが望ましい。
これらの壁面は単層であっても多層であってもよく、また、単一材料もしくは複数材料から構成されうる。適当であれば、バッグの壁面は、紙基材を熱可塑性材料の層、またはメタライズ処理(金属被覆)された熱可塑性材料層により被覆したものでもよい。
【００１４】
バッグ10は、一枚のシートまたは複数枚のシートから構成することができる。例えば、２枚のシートをそれらの縁部で、好ましくは壁面15および16に共通する縁部のような主壁面をつないでいる縁部のいずれかに沿って、溶着することにより接合したものでもよい。
【００１５】
上述のごとく、本発明においては、バッグ本体10の一部分20、図示例では底部14に隣接する部分が、まちの形態で（まちを形づくるように）折り返される。このまちの形に折り返されたバッグ10の部分20の長さ▲L▼1は、バッグの幅▲L▼2の２倍とほぼ等しい。上述した長さ▲L▼1およびバッグの幅▲L▼2はいずれも、まちの折り線22に対して垂直であるとした時の寸法である。
【００１６】
上述した折りたたみ動作は、図１にPと表示された矢印により示されている。こうして底部14から作製されたまちは、図２に24で表示される。
図２に見ることができるように、こうして作られたまち24は、好ましくはバッグの断面全体を覆うので、まち24が底部に形成された後は、バッグ10は、図２に参照番号25，26，及び27で示される３層の形態で、３倍の厚みを有することになる。
【００１７】
まち24はこの状態(折り返された状態)に、引き離し（連結解除）が可能な連結要素によって保持される。この連結要素としては、多くの変更実施態様が考えられる。
第一の具体化法によれば、上述した引き離し可能な連結要素を粘着性ストリップから形成することができる。このような粘着性ストリップを、図１に30で示すストリップの形態で、バッグおよびまちの端部に配置するか、或いは、図１に32で示すストリップの形態で、まちの端部を受けることになるバッグの一方の壁面16に配置するか、或いは、図１に示した二つのストリップ30および32に対応する二枚の相補的な粘着性ストリップから構成することができる。(これらの２枚のストリップ30および32は、まち24を折り返す間に接触させる。)
上記ストリップ30および／または32は、まちの折り線22と平行に、バッグの全高▲L▼3にほぼ達する長さで配置される。ここで、全高▲L▼3は、折り線22に平行であるとした時の高さである。
【００１８】
別の変更実施態様によれば、引き離し可能な連結手段は、図１に示した前記ストリップ30および32の位置にそれぞれ配置された相補型要素から形成することができる。すなわち、相補型要素の一方は、まち24の端部と一致するバッグの端部に配置し、他方の要素は前記のまち24の端部を受けることになるバッグ本体の壁面16上に配置される。
【００１９】
限定されない例示として、この種の相補型要素は、「ベルクロ(R)」タイプの相補型構造物、或いは相補型の雄型／雌型押出成形品、さらには相補型の鉤状構造物（恐らくはスライド部材により動作させる）から形成することができる。
【００２０】
この種の連結要素は、専門技術者には周知であるから、以下では詳細には説明しない。
本発明において、バッグは、複数回の開閉に適した少なくとも一つの閉鎖要素をさらに含む。この種の閉鎖アセンブリは添付図面に参照番号50で示されている。
【００２１】
既に述べたように、本発明において、再閉鎖可能な開口を提供するために設計されたこの閉鎖要素50は、まちの折り線22を横切って、まちの全幅およびバッグ本体の少なくとも実質部分に達する長さを持つ。したがって、この閉鎖要素50によって、バッグ内の全ての内容物に容易に接近できる。
【００２２】
バッグは、まちが連結要素30、32によって折り返された状態に保持されている時に、閉鎖要素50がバッグの内容物による応力を受けることを防止する手段を備えることが好ましい。
【００２３】
限定されない例として、閉鎖アセンブリ50は、まちの一方の縁部に折り線22を横断して設けられることが望ましい。
閉鎖アセンブリ50それ自体は、多くの変更例が考えられ、圧着式の（押すだけでくっつく）要素、「ベルクロ」タイプの相補型要素、雄型/雌型タイプの相補型要素、あるいはまた鉤状(フック)タイプの相補型要素とすることができる。
【００２４】
添付の図６には、閉鎖要素50が、それぞれ雄型の要素53および雌型の相補的要素55を備えた二つの相補型押出成形品52,54から構成されている、本発明の有利な１変更例が示されている。
【００２５】
専門技術者にはこれらの手段の全てが周知である。したがって、以下ではこれらについて詳細には説明しない。
適当であれば、閉鎖要素50を構成しているこれらの開閉手段は、スライド部材60によって動作させることができる。
【００２６】
このようなスライド部材を添付の図６に概要図として示した。やはり、このスライド部材にも多くの具体化法が可能である。
この種のスライド部材60は、二つの側方壁板64,65と低い中央壁板66とを保持するベース部62を備えており、それらの壁板の間に形成された二つの非平行のチャネル67,68がそれぞれ、前記の少なくとも一つの閉鎖要素50の二つの支持ウェブ52,54の一方の少なくとも頂部を収容する。それにより、スライド部材60の移動方向に応じて、スライド部材60が閉鎖要素50にそれぞれ開くか、閉じるための力を加える。適当であれば、低い中央壁板66は相補型の押出成形品53と55の間に入り込むことができるが、この構成は必須ではない。
【００２７】
まち24が底部14に配置され、折り返され、連係する連結手段30および32によってその状態に保持された後、バッグ10には、その開孔部12から常法により圧縮下に品物が充填され、開孔部12は任意の適切な慣用手段により閉鎖される。
【００２８】
使用にあたって、バッグの内容物を取り出すには、まち24を展開させるために連結要素30,32を引き離すだけでよい。こうすると、バッグは、図１に示したのに近い幾何学形状に戻る。その後、図３に示すように、要素50を開くと、当初は密封されていたバッグ10内に品物が圧縮状態で充填されていたにもかかわらず、バッグの内容物Ｃ、たとえば１組の乳幼児用おしめ、に簡単に接近して取り出すことができる。
【００２９】
本発明は特に、例えば、乳幼児用おしめの取り出しを容易にするために適用することができる。
図４および５は、バッグに二箇所のまち24,28を、バッグの真向かいの面、すなわち、それぞれ底部20と入口側の開孔部21とに折り返して設けた変更実施態様を示す。もちろん、この場合には、開孔部に形成されたまち28に付随させて、先に述べたものと同様な保持手段30,32を設ける必要がある。
【００３０】
本発明はまた、バッグまたは容器10の端部、特に底部を強くするという利点がある。実際、図２および５に見られるように、バッグの底部は、三層分の厚み25,26,27を有する。このことは、バッグが二つのまちを有する場合には、開孔部の側にもあてはまる。この点は、販売時にバッグを棚に置く時に極めて有利に働く。
【００３１】
もちろん、本発明は、上述した特定の具体化法に限定されるものではなく、本発明の技術思想に合致するいかなる変更例にも及ぶ。
バッグが閉じている間、スライド部材60は、図２および５に示すようにまち上に位置してもよく、または図７に示すようにまちから離れた位置にあってもよい。
【００３２】
本発明において、引き離し可能な連結手段30、32および閉鎖要素50は、バッグの壁面を構成するフィルムの材料から、このフィルムの製造中に作製することができ、或いは、別の要素から最初に形成しておいて、たとえば溶着によってバッグを構成するフィルムに接合することもできる。
【００３３】
前述した具体化法によれば、それぞれ底部14および開孔部12に配置されたたまち24および28は、開孔部12からバッグ10に内容物を入れる方向に対してほぼ垂直な平面内に位置する。
【００３４】
他方、図７および８に例示した変更例によると、まち24および28は、開孔部12からバッグ10に内容物を入れる方向に対してほぼ平行な平面内に位置する。このために、図７および８によれば、まち24および28は、開口した開孔部12を取り囲む４面の一つの面に向けて折り返されている。
【００３５】
図７に見られるように、本発明の１変更例によれば、各まち24または28は、このまち24および28が折り返されるバッグ本体10の壁面の領域の一部しか覆わないようにすることができる。まち24および28がバッグ断面の一部だけを覆うこの変更例は、本発明の具体化法のいずれにも適用できる。
【図面の簡単な説明】
【００３６】
【図１】折り返されたまちを形成する前の本発明に係る包装用バッグの斜視図を模式的に示す。
【図２】まちを折り返した後の同じバッグの模式的斜視図を示す。
【図３】バッグの内容物を取り出せるように再閉鎖可能な開口要素を開いた後の同じバッグを模式的に示す。
【図４】バッグの真向かいの面に向かって折り返された二つのまちを備える、本発明の１実施変更例についての、上記図１と同様の閉鎖前の状態の図を示す。
【図５】図４の実施変更例の上記図２と同様の閉鎖後の状態の図を示す。
【図６】スライド部材を備えた、本発明に係る閉鎖アセンブリの断面図を示す
【図７】本発明に係る他の変更例を示す。
【図８】本発明に係る他の変更例を示す。
【図１】
2007513022.tif 000003
【図２】
2007513022.tif 000004
【図３】
2007513022.tif 000005
【図４】
2007513022.tif 000006
【図５】
2007513022.tif 000007
【図６】
2007513022.tif 000008
【図７】
2007513022.tif 000009
【図８】
2007513022.tif 000010
【国際調査報告】
2007513022.tif 000011
2007513022.tif 000012
2007513022.tif 000013
2007513022.tif 000014